(57)【特許請求の範囲】
【請求項１】
着用者の上半身を覆うインナーウェアであって、
厚肉に形成された厚肉部と、
前記厚肉部より薄く形成されており通気性を有する薄肉部とを備え、
身幅方向に延び細長く形成された複数の前記厚肉部が間隔を置いて身頃に身丈方向に並べて配置されており、
身幅方向に線状に延びるとともにその底が前記薄肉部から構成される複数の溝が、隣り合う前記厚肉部同士の間に区画される
ことを特徴とするインナーウェア。
【請求項２】
着用者の上半身を覆うインナーウェアであって、
厚肉に形成された厚肉部と、
前記厚肉部より薄く形成されており通気性を有する薄肉部とを備え、
複数の前記厚肉部が間隔を置いて配置されており、隣り合う前記厚肉部同士の間に線状に延びる溝が区画され、
前記厚肉部が身頃に身丈方向に並べて配置されており、
最も下の前記厚肉部の厚さが最も上の前記厚肉部の厚さより小さい
ことを特徴とするインナーウェア。
【請求項３】
弾性を有するクッション材を前記厚肉部が有する
ことを特徴とする請求項１又は２に記載のインナーウェア。
【請求項４】
前記クッション材のうち、着用者の身体に近接する面に、連続する凹凸が設けられている
ことを特徴とする請求項３に記載のインナーウェア。
【発明の詳細な説明】
【技術分野】
【０００１】
本発明はインナーウェアに関し、特に外気を導入して身体を冷却する衣服の内に着用されるインナーウェアに関する。
【背景技術】
【０００２】
外気を内部に導入して身体を冷却するような、いわゆる空調服と呼ばれる冷却衣服が知られている（特許文献１参照）。この冷却衣服にはファンが設けられており、このファンを作動すると、強制的に空気が内部に取り入れられ、着用者の身体の周りを空気が流れることによって、身体が冷却される。そのため冷却衣服を使用する際には、その内に通気性を有するインナーウェアを着用するのが一般的である（例えば特許文献２参照）。
【０００３】
冷却衣服とインナーウェアとの間に空気の通路が確保されていれば、そこを空気が流れるため身体を冷却することができる。冷却衣服とインナーウェアとが密着していたり、通路があっても閉塞された箇所があると、その部分には空気が流れないため、冷却効果が得られない。
【０００４】
また、高所作業を行う場合は、フルハーネス等の安全帯を着用する必要がある。冷却衣服を着用したその外に安全帯を着用する場合は、安全帯が脱落しないようしっかり締結しなければならないが、そうすると、冷却衣服が身体に向けて押し付けられ、インナーウェアとの間の空気の通路が閉塞することになる。すると冷却効果が得られなくなる。
【０００５】
そのため、安全帯が必要となる場合は、安全帯を着用してからその外に冷却衣服を着用する方法が採用されていた（特許文献１参照）。しかしその場合、安全帯を着脱するたびに冷却衣服を脱ぐ必要があり、また冷却衣服を着脱する度に命綱の連結部を調整する必要があり、これらが着用者の負担となっていた。
【０００６】
そのため、外に冷却衣服を着用した際に、冷却衣服との間に空気の通路が確保されて、身体の冷却が確実に行われるようなインナーウェアが求められていた。特に、冷却衣服の外にフルハーネス等の安全帯が着用された場合でも、冷却衣服との間の空気の通路が閉塞せず、冷却効果が得られるインナーウェアが求められていた。
【先行技術文献】
【特許文献】
【０００７】
【特許文献１】特開２０１７−０１４６４４号公報
【特許文献２】特開２００１−０４９５０９号公報
【発明の概要】
【発明が解決しようとする課題】
【０００８】
上記問題点を鑑みて、本発明は、冷却衣服の内に着用された場合に確実に身体が冷却され、特に冷却衣服の外に安全帯を装着した場合でも冷却効果が得られるようなインナーウェアを提供することを目的とする。
【課題を解決するための手段】
【０００９】
本発明は、上記課題を解決するためになされたもので、請求項１に記載の発明は、着用者の上半身を覆うインナーウェアであって、厚肉に形成された厚肉部と、前記厚肉部より薄く形成されており通気性を有する薄肉部とを備え、身幅方向に延び細長く形成された複数の前記厚肉部が間隔を置いて身頃に身丈方向に並べて配置されており、身幅方向に線状に延びるとともにその底が前記薄肉部から構成される複数の溝が、隣り合う前記厚肉部同士の間に区画されることを特徴とするインナーウェアである。
【００１０】
請求項１に記載の発明によれば、外に着用された冷却衣服との間に空気の通路が確保され、身体が確実に冷却されるインナーウェアを提供することができる。なお、身頃には前身頃と後身頃が含まれる。
【００１７】
請求項２に記載の発明は、着用者の上半身を覆うインナーウェアであって、厚肉に形成された厚肉部と、前記厚肉部より薄く形成されており通気性を有する薄肉部とを備え、複数の前記厚肉部が間隔を置いて配置されており、隣り合う前記厚肉部同士の間に線状に延びる溝が区画され、前記厚肉部が身頃に身丈方向に並べて配置されており、最も下の前記厚肉部の厚さが最も上の前記厚肉部の厚さより小さいことを特徴とするインナーウェアである。
【００１８】
請求項２に記載の発明によれば、着用者の身体の動きに対する拘束が小さいインナーウェアを提供することができる。なお、身頃には前身頃と後身頃が含まれる。
【００１９】
請求項３に記載の発明は、弾性を有するクッション材を前記厚肉部が有することを特徴とする請求項１又は２に記載のインナーウェアである。
【００２０】
請求項３に記載の発明によれば、着用者が身体を動かした場合も外に着用された冷却衣服との間に空間が確保されるインナーウェアを提供することができる。
【００２１】
請求項４に記載の発明は、前記クッション材のうち、着用者の身体に近接する面に、連続する凹凸が設けられていることを特徴とする請求項３に記載のインナーウェアである。
【００２２】
請求項４に記載の発明によれば、厚肉部に接触する部位から発せられる熱や汗が薄肉部に誘導されるインナーウェアを提供することができる。
【発明の効果】
【００２３】
本発明によれば、外に着用された冷却衣服との間に空間が形成されて、空気が流れることで身体が冷却されるインナーウェアを提供することができる。
【図面の簡単な説明】
【００２４】
【図１】本発明の実施形態に係るインナーウェアの全体を示す図であって、（ａ）は正面図であり、（ｂ）は背面図である。
【図２】本発明の実施形態に係るインナーウェアの流通部を説明する図であって、（ａ）は図１の部分Ａを拡大して模式的に示す拡大模式図であり、（ｂ）は（ａ）の断面を模式的に示す断面模式図である。
【図３】本発明の実施形態に係るインナーウェアのクッション材を示す斜視図である。
【図４】本発明の実施形態に係るインナーウェアの外に冷却衣服及び安全帯を着用した状態を示す図であって、（ａ）は正面図であり、（ｂ）は背面図である。
【図５】本発明の実施形態に係るインナーウェアの流通部を説明する図であって、図４の断面Ｂ−Ｂを模式的に示す断面模式図である。
【図６】本実施形態の変形例に係るインナーウェアの流通部を説明する断面模式図である。
【発明を実施するための形態】
【００２５】
［実施形態］
次に、本発明に係る衣服の実施形態について図面を参照しながら説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００２６】
まず、本発明の実施形態に係るインナーウェアの全体構成について、図１に基づき説明する。図１は、本発明の実施形態に係るインナーウェアの全体を示す図であって、（ａ）が正面図であり、（ｂ）が背面図である。
【００２７】
図１に示すように、本実施形態に係るインナーウェア１は着用者の上半身を覆うよう構成されている。インナーウェア１は厚肉に形成された厚肉部２０と、厚肉部２０より薄く形成された薄肉部３０を有する。薄肉部３０は通気性を有し、着用者が発汗した場合、薄肉部３０を通過して気化して身体が冷却される。インナーウェア１のうち多くの部分を薄肉部３０が占めており、厚肉部２０は薄肉部３０に取り囲まれるよう配置されている。
【００２８】
厚肉部２０はそれぞれ細長いブロック状に形成されており、複数の厚肉部２０が間隔を置いて配置されている。厚肉部２０同士の間には薄肉部３０が線状に延びている。厚肉部２０と線状の薄肉部３０とが交互に並んで配置された部分は、空気が流通する流通部を構成している。図１（ａ）に示すように、前身頃の両胸付近には前方流通部１ａ，１ａが設けられている。また図１（ａ），（ｂ）に示すように、両肩付近には肩流通部１ｂ，１ｂが設けられてる。また図１（ｂ）に示すように、後身頃の中央付近には背流通部１ｃが設けられている。
【００２９】
次に、厚肉部２０と薄肉部３０とが交互に並んで配置されて構成される流通部について、図２を用いて説明する。図２は、本発明の実施形態に係るインナーウェアの流通部を説明する図であって、（ａ）は図１の部分Ａを拡大して模式的に示す拡大模式図であり、（ｂ）は（ａ）の断面を模式的に示す断面模式図である。
【００３０】
図２には、前方流通部１ａの下部の二つの厚肉部２０とその周囲の薄肉部３０が示されている。この部分においてインナーウェア１は、布地１０、カバー布片１１、クッション材２１で構成されている。布地１０は通気性を有する布であって、インナーウェア１の全体にわたっており、着用時には内側（身体に近い側）に位置する。カバー布片１１も通気性を有し、縫合線Ｓで布地１０に縫合されており、着用時には外側（身体から遠い側）に位置する。
【００３１】
布地１０とカバー布片１１との間にクッション材２１が配置されている。具体的には、布地１０とカバー布片１１とは、閉じられた縫合線Ｓで袋状に縫合され、その中にクッション材２１が収容されている。インナーウェア１において、クッション材２１が配置されている部分が厚肉部２０を構成し、それ以外の部分が薄肉部３０ａ，３０ｂとなる。厚肉部２０の厚さは、布地１０、クッション材２１及びカバー布片１１の厚さで決定され、複数ある厚肉部２０毎にクッション材２１の厚さを変えることにより、厚肉部２０毎に厚さを変えることができる。
【００３２】
なお、薄肉部３０ａは布地１０の一枚から構成され、薄肉部３０ｂは布地１０とカバー布片１１の二枚が重なって構成されているが、薄肉部３０ａ，３０ｂいずれも厚肉部２０より薄く、またいずれも通気性を有する。なお、図２で薄肉部３０ｂとして示した箇所について、カバー布片１１を切除して布地１０の一枚で構成することも可能である。
【００３３】
図２（ａ）に示すように、上下に並ぶ厚肉部２０同士の間には薄肉部３０ｂが概ね左右に線状に延びている。これにより、図２（ｂ）に示すように厚肉部２０同士の間に溝Ｇが区画される。なお溝Ｇの底は薄肉部３０ｂで構成される。流通部は、図２（ａ）に示す左右方向に延びる溝Ｇを有することになる。
【００３４】
次に、流通部を構成する部材について説明する。布地１０及びカバー布片１１の素材は任意に選択できるが、好適には伸縮性を有する素材が用いられ、具体的にはポリエステルなどの合成繊維や綿などの天然繊維からなり、伸縮性を持たせた編物や織物が使用される。布地１０及びカバー布片１１が伸縮性を有していると、着用時に布地１０が身体に密着するように構成できる。なお、身体に密着させないよう構成することも可能であるし、伸縮性が少ない素材を使用することももちろん可能である。
【００３５】
次にクッション材２１について図３を用いて説明する。図３は、本発明の実施形態に係るインナーウェアのクッション材を示す斜視図である。クッション材２１は、弾性を有する素材からなり、図示のように略直方体状に形成されている。クッション材２１の素材は任意に選択することができるが、好適には弾性が高く軽量な発泡樹脂が用いられ、さらに好適には架橋ポリエチレンフォームが用いられる。これにより、インナーウェア１が全体的に軽量となり、また着用者の身体の動きを過度に拘束することがない。
【００３６】
また、クッション材２１には厚さ方向に貫通孔Ｈ，・・・，Ｈが設けられており、インナーウェア１に装着されたときに貫通孔Ｈが内外方向を向くよう配置される。この貫通孔Ｈは通気性確保に寄与するが、貫通孔Ｈは必須ではない。クッション材２１のうち、着用者の身体に近い方の面は、波状に連続する凹凸が設けられた凹凸面２１ａとされている。身体に近接する面が凹凸面２１ａであることにより、厚肉部２０に接触する部位から発せられる熱や汗を、薄肉部３０に誘導することができる。なお、連続する凹凸は波状に限られず、鋸状など任意の形状の凹凸とすることができる。また、クッション材２１の全ての面を平坦にすることももちろん可能である。
【００３７】
次に流通部にある厚肉部２０及び溝Ｇについて図１を用いて説明する。インナーウェア１は前身頃の左右に前方流通部１ａ，１ａを、両肩に肩流通部１ｂ，１ｂを、後身頃に背流通部１ｃを有している。前方流通部１ａ及び背流通部１ｃは、身幅方向に延び細長く形成された複数の厚肉部２０が身丈方向に並べて配置されている。そのため、前方流通部１ａ及び背流通部１ｃは、身幅方向に延びる溝Ｇを複数有している。
【００３８】
前方流通部１ａ及び背流通部１ｃそれぞれの最も下に位置する厚肉部２０ｂは、それぞれの最も上に位置する厚肉部２０ａよりも薄く形成されている。前方流通部１ａ及び背流通部１ｃにおいて、上部よりも下部の厚肉部２０の方が薄ければ、着用者の身体の動きに対する拘束が小さくなり、身体の曲げ伸ばしを容易にすることができる。
【００３９】
肩流通部１ｂは、身体の前後方向に延び細長く形成された複数の厚肉部２０が、肩口から腕に向けて並べて配置されている。そのため肩流通部１ｂは、身体の前後方向に延びる溝Ｇを複数有している。また、溝Ｇがあることで着用者の腕の動きに対する拘束が小さくなり、容易に腕を動かすことができる。また肩流通部１ｂの腕に近い厚肉部２０ｂは、最も肩口に近い厚肉部２０ａよりも薄く形成されている。
【００４０】
次に、本発明の実施形態に係るインナーウェアと、冷却衣服及び安全帯を併用した場合の作用について、図４，５に基づき説明する。図４は、本発明の実施形態に係るインナーウェアの外に冷却衣服及び安全帯を着用した状態を示す図であって、（ａ）は正面図であり、（ｂ）は背面図である。図５は、本発明の実施形態に係るインナーウェアの流通部を説明する図であって、図４の断面Ｂ−Ｂを模式的に示す断面模式図である。
【００４１】
図４に示すように、着用者はインナーウェア１を着用した上に冷却衣服９１を着用し、さらにその上に安全帯としてフルハーネス９２を着用している。冷却衣服９１は、図４（ｂ）に示すように、後身頃にファン９１ａ，９１ａが設けられており、ファン９１ａにより外部の空気が冷却衣服９１の内部に導入され、襟などから排出されることで、着用者の身体が冷却される。
【００４２】
図４に示すフルハーネス９２は、身体の複数の箇所を支えることで一部が集中的に圧迫されるのを防ぐ安全帯であり、肩ベルト９２ａ，９２ａ及び背ベルト９２ｂ，９２ｂを備えている。フルハーネス９２を正しく着用すると、肩ベルト９２ａ，９２ａは、インナーウェア１の前方流通部１ａ，１ａ、肩流通部１ｂ，１ｂ（図４（ａ）参照）及び背流通部１ｃ（図４（ｂ）参照）の上に位置する。また背ベルト９２ｂは、背流通部１ｃの上に位置する（図４（ｂ）参照）。なお、フルハーネス９２は使用中に脱落しないようしっかり締結する必要がある。
【００４３】
次にインナーウェア１と冷却衣服９１との間の状態について、図５に基づき説明する。図５には、フルハーネス９２の肩ベルト９２ａの下の前方流通部１ａの断面が模式的に示される。インナーウェア１の厚肉部２０の上に冷却衣服９１が乗っており、さらにその上にフルハーネス９２の肩ベルト９２ａが乗っている。なおフルハーネス９２はしっかり締結されているため、冷却衣服９１と肩ベルト９２ａはインナーウェア１に向けて押さえつけられている。
【００４４】
図５に示すように、厚肉部２０，２０の間には薄肉部３０が位置しており、厚肉部２０と薄肉部３０によって溝Ｇが形成されている。冷却衣服９１は肩ベルト９２ａによってインナーウェア１に向けて押さえつけられているが、冷却衣服９１は厚肉部２０に密着して、そこで留まる。そのため、溝Ｇは閉塞されることがなく、溝Ｇを通じて図５の紙面に垂直な方向に空気が流通することが可能となる。
【００４５】
図４に示すように、肩ベルト９２ａと前方流通部１ａ及び背流通部１ｃにおける溝Ｇの延びる方向とは、交差している。そのため肩ベルト９２ａが溝Ｇに入り込むことはなく、溝Ｇを通じて空気が流通することが可能となる。前方流通部１ａ及び背流通部１ｃにおいて溝Ｇは概ね身幅方向に延びており、そのため身幅方向に空気が流通することが可能となる。
【００４６】
また図４に示すように、肩流通部１ｂの上に肩ベルト９２ａが位置しているが、肩流通部１ｂの溝Ｇの幅が肩ベルト９２ａの幅より小さく設定されている。そのため肩ベルト９２ａが溝Ｇに入り込んで閉塞することはなく、溝Ｇを通じて空気が流通することが可能となる。肩流通部１ｂにおいて溝Ｇは概ね身体の前後方向に延びており、そのため身体の前後方向に空気が流通することが可能となる。
【００４７】
なお、図５は図４における断面Ｂ−Ｂを示した断面模式図であるが、フルハーネス９２のベルトの下に位置する流通部は概ね同様の状態となり、溝Ｇの延びる方向に空気が流通することが可能となる。このように、インナーウェア１が、フルハーネス９２のベルトの位置の下において、間隔を置いて配置された複数の厚肉部２０を有する流通部を備えることで、冷却衣服９１の内部で空気の流通が確保され、外部から導入された空気が閉塞されることなく冷却衣服９１内部全体に行き渡り、まんべんなく冷却効果を確保することができる。
【００４８】
なお、厚肉部２０は内部にクッション材２１を有するため（図２参照）、フルハーネス９２をしっかり締結した場合でも身体に作用する圧力は軽減される。
【００４９】
また安全帯を着用しない場合でも、インナーウェア１を着用することで冷却衣服９１との間に空気の通路が確保されるため、冷却衣服９１の内部の通気性が高まり、身体を確実に冷却することできるようになる。
【００５０】
［変形例］
次に本実施形態の変形例に係るインナーウェアについて、図６に基づいて説明する。図６は、本実施形態の変形例に係るインナーウェアの流通部を説明する図であり、図５に対応する断面を示す断面模式図である。
【００５１】
先述の実施形態に係るインナーウェアは、間隔を置いて配置された複数の厚肉部を備えて流通部を構成していたが、変形例に係るインナーウェア１は、図６に示すように、単数の厚肉部２０を有する。インナーウェア１の上に冷却衣服９１及びフルハーネス９２を着用した場合、インナーウェア１の厚肉部２０の上に冷却衣服９１が乗り、さらにその上にフルハーネス９２のベルトが乗る。このとき、インナーウェア１と冷却衣服９１との間には、厚肉部２０の隣に空隙Ｃ，Ｃが形成される。この空隙Ｃを通じて図６の紙面に垂直な方向に空気が流通することが可能となる。
【００５２】
また本実施形態に係るインナーウェアでは、図１に示すように厚肉部２０が細長い形状であったが、形状はこれに限られず、例えば短円柱状や円錐台状、半球状に形成することも可能であり、またこれを分散して配置することも可能である。
【符号の説明】
【００５３】
１      インナーウェア
１ａ    前方流通部
１ｂ    肩流通部
１ｃ    背流通部
１０    布地
１１    カバー布片
２０，２０ａ，２０ｂ  厚肉部
２１    クッション材
２１ａ  凹凸面
３０，３０ａ，３０ｂ  薄肉部
９１    冷却衣服
９１ａ  ファン
９２    フルハーネス（安全帯）
９２ａ  肩ベルト
９２ｂ  背ベルト
Ｃ      空隙
Ｇ      溝
Ｈ      貫通孔
Ｓ      縫合線
【要約】
【課題】  冷却衣服の内に着用された場合に確実に身体が冷却され、特に冷却衣服の外に安全帯を装着した場合でも冷却効果が得られるようなインナーウェアを提供することを目的とする。
【解決手段】  本発明に係るインナーウェア１は、着用者の上半身を覆うインナーウェア１であって、厚肉に形成された厚肉部２０と、厚肉部より薄く形成されており通気性を有する薄肉部３０とを備える。複数の厚肉部３０が間隔を置いて配置されており、隣り合う厚肉部３０同士の間に線状に延びる溝Ｇが区画される。
【選択図】  図１【図１】
0006704161.tif 000002
【図２】
0006704161.tif 000003
【図３】
0006704161.tif 000004
【図４】
0006704161.tif 000005
【図５】
0006704161.tif 000006
【図６】
0006704161.tif 000007